(57)【要約】【課題】ワゴンや袖机等の家具本体に適用される引出において、家具本体に出し入れ可能に支持される収納部の前面側に配置される鏡板の前面にフック孔等の加工を施すことなく、鏡板を好適に保護することができるプロテクタを選択的に着脱することができる引出を提供する。【解決手段】収納部３の前面側に取り付けられ鏡板４を支持する裏当材ＢＵを引出本体１１に設け、プロテクタ７の下端部を裏当材ＢＵの下端部に対して着脱可能に固定する固定手段Ｘと、この固定手段Ｘによって裏当材ＢＵに固定したプロテクタ７の上端部における両側端部を裏当材ＢＵの両側端部に保持する一対の保持手段Ｙとを引出１に形成した。【選択図】図６
2004121507.tif 000002
【特許請求の範囲】
【請求項１】
家具本体に出し入れ可能に支持されて当該家具本体と共に収納空間を形成する収納部と、該収納部の前面側に配置される鏡板と、収納部の前面側に取り付けられ前記鏡板を支持する裏当材とを具備する引出本体と、前記鏡板の前面側における下端部にその幅方向全体に亘って配置されるプロテクタとを備えてなるものであって、
前記プロテクタの下端部を裏当材の下端部に対して着脱可能に固定する固定手段と、該固定手段により裏当材に固定した状態で前記プロテクタの上端部における両側端部を裏当材の両側端部に保持する一対の保持手段とを具備していることを特徴とする引出。
【請求項２】
プロテクタを、透明な合成樹脂素材により形成している請求項１記載の引出。
【請求項３】
保持手段を、プロテクタの側端部に形成した係合部と、該係合部と係脱可能に係合し得る被係合部を具備しこれら係合部と被係合部とを係合させ且つプロテクタの裏面を鏡板の前面に添接させた状態でプロテクタと鏡板と裏当材とを前後に挟持するストッパキャップとから構成している請求項１又は２記載の引出。
【請求項４】
ストッパキャップを、透明な合成樹脂素材により形成している請求項３記載の引出。
【請求項５】
ストッパキャップを、鏡板の前面側に配置される前壁と、裏当材の裏面に当接する後壁と、これら前壁と後壁の外側端部同士を連続させ鏡板及び裏当材の側縁に当接する側壁とを具備するものとし、前記固定手段によって裏当材に取り付けたプロテクタよりも上方において前壁、側壁及び後壁によって包囲される空間内に鏡板及び裏当材を挿通させた差込位置から前記係合部と係合する係合位置まで該ストッパキャップをスライド移動し得るように構成している請求項３又は４記載の引出。
【請求項６】
鏡板の前面を保護するプロテクタの前壁における側端部に前記係合部として側方へ突出する係合爪を形成するとともに、ストッパキャップの前壁における裏面に前記被係合部として係合爪と係合し得る被係合溝を形成している請求項５記載の引出。
【請求項７】
ストッパキャップの前壁における裏面に、ストッパキャップのスライド動作に伴って前記係合部を経過的に被係合溝まで通過させる案内溝を形成している請求項６記載の引出。
【請求項８】
プロテクタが、その前壁の側端部から後方へ向けて延び鏡板の側縁を保護する側壁を具備するものであり、該プロテクタの側壁とストッパキャップの側壁とを相互に係合させてストッパキャップの外側方への傾倒を防止する傾倒防止手段を形成している請求項６又は７記載の引出。
【請求項９】
前記傾倒防止手段を、プロテクタの側壁に上方へ突出させて形成した突起部と、ストッパキャップの側壁の外面側に形成され前記突起部と係合し合う凹部とから構成している請求項８記載の引出。
【請求項１０】
固定手段を、裏当材の下端部に形成したナット部と、プロテクタの下端部に前記ナット部と対応させて形成したビス挿通孔と、該ビス挿通孔に挿入して前記ナット部に着脱可能に締着し得るビスとから構成している請求項１、２、３、４、５、６、７、８又は９記載の引出。
【請求項１１】
前記ナット部が、鏡板の下端部を裏当材に対してビス止めにより固定するためのものであって、当該ナット部を、鏡板及びプロテクタの裏当材に対する固定に共用するようにしている請求項１０記載の引出。
【請求項１２】
裏当材の下端部に、前記ナット部を形成した水平片を形成するとともに、プロテクタの下端部に、鏡板の下方を前方から後方へ通過して裏当材の水平片と重合し且つ前記ビス挿通孔を形成した水平片を形成している請求項１１記載の引出。
【請求項１３】
プロテクタのうち少なくとも鏡板の前面を保護する前壁を、可撓変形可能に形成している請求項１、２、３、４、５、６、７、８、９、１０、１１又は１２記載の引出。
【請求項１４】
鏡板の少なくとも下端部が、その前面における中央部を側端部よりも前方へ膨出させた形状を有するものであり、プロテクタの平面視形状が、幅方向へ略一直線状ないし中央部を側端部よりも後方へ湾曲させたものである請求項１２記載の引出。
【発明の詳細な説明】
【０００１】
【発明の属する技術分野】
本発明は、プロテクタを取り付けた引出に関するものである。
【０００２】
【従来の技術】
ワゴンやデスクの袖机等の引出は、その表面材である鏡板に鋼板のプレス成形品が用いられているのが通例である。特に床面に近い引出の開閉時には、鏡板がデスクや椅子等の脚部等に衝突しやすく、鏡板に傷が生じたり塗装が剥がれるなどの損傷が起こりやすいため、鏡板の前面を保護するためにその下端部に合成樹脂製のプロテクタを取り付けることが考えられる。例えば、デスクに設けられる最下段の袖机における鏡板の前面に合成樹脂製のプロテクタを取り付けたものが従来のプロテクタを取り付けた態様の引出の従来例として挙げることができる。このプロテクタは、後方へ向けて形成したフック爪が形成したものであり、それに対して鏡板の前面における下端部にフック孔を開口させて形成しておき、フック爪をフック孔に係合させる構造によって、プロテクタを鏡板に取り付けるようにしている（特許文献１参照）。
【０００３】
【特許文献１】特許第２６２９５２０号公報
【０００４】
【発明が解決しようとする課題】
ところが、このような構成によりワゴンや袖机等の鏡板にプロテクタを取り付けるようにすると、鏡板の前面には必然的にフック孔を開口させることになる。そのため、プロテクタが不要な場合や、プロテクタに透明樹脂製品を適用した場合には、フック孔が不格好に露出して、鏡板の外観を損なう結果を招く。また、鏡板のプレス加工の前又は後に、フック孔を打ち抜いて形成する工程が必要となり、作業工数やコストが増加するおそれもある。
【０００５】
そこで本発明は、以上のような問題に鑑みて、鏡板には外観の低下を生じさせず、また製造の工数増加を招くこともなく、好適にプロテクタを取り付けることができるようにした引出を提供することを主目的とするものである。
【０００６】
【課題を解決するための手段】
すなわち、本発明の引出は、ワゴンや袖机等の家具本体に出し入れ可能に支持されて当該家具本体と共に収納空間を形成する収納部と、該収納部の前面側に配置される鏡板と、収納部の前面側に取り付けられ前記鏡板を支持する裏当材とを具備する引出本体と、鏡板の前面側における下端部にその幅方向全体に亘って配置されるプロテクタとを備えてなり、前記プロテクタの下端部を裏当材の下端部に対して着脱可能に固定する固定手段と、該固定手段により裏当材に固定した状態でプロテクタの上端部における両側端部を裏当材の両側端部に保持する一対の保持手段とを具備していることを特徴としている。
【０００７】
このような構成とすれば、プロテクタは固定手段及び保持手段によって鏡板にではなく裏当材に取り付けて鏡板の前面の保護を従来品と同様に有効に図ることができるため、鏡板の前面にはフック孔等の外観を棄損する構成を採用する必要がない。そのため、プロテクタが不要な場合には不格好なフック孔等が鏡板の前面に露出することがないので、プロテクタの要不要を鏡板の外観の悪化を気にすることなく必要に応じて或いはユーザの好みに応じて適宜選択することができるとととなる。また、鏡板にはフック孔等を形成する必要がないことから、その製造工数を削減することも可能である。さらに、この種のプロテクタには通常、合成樹脂一体成形品が用いられるので、プロテクタの製造工数等が格別増加することもない。
【０００８】
特にプロテクタを利用する場合に、プロテクタの存在によって鏡板の前面の外観が大幅に変更されることがないようにするには、プロテクタを、透明な合成樹脂素材により形成することが好ましい。
【０００９】
保持手段の簡単で好適な構成としては、プロテクタの側端部に形成した係合部と、この係合部と係脱可能に係合し得る被係合部を具備しこれら係合部と被係合部とを係合させ且つプロテクタの裏面を鏡板の前面に添接させた状態でプロテクタと鏡板と裏当材とを前後に挟持するストッパキャップとから構成した保持手段を挙げることができる。
【００１０】
この場合においても、ストッパキャップの存在によって鏡板の前面の外観が大幅に変更されることがないようにするには、ストッパキャップを、透明な合成樹脂素材により形成すればよい。なお、上述したように、プロテクタも透明な合成樹脂成形品とすればなお良いのはいうまでもない。
【００１１】
ストッパキャップの着脱を容易なものとするためには、このストッパキャップを、鏡板の前面側に配置される前壁と、裏当材の裏面に当接する後壁と、これら前壁と後壁の外側端部同士を連続させ鏡板及び裏当材の側縁に当接する側壁とを具備するものとし、前記固定手段によって裏当材に取り付けたプロテクタよりも上方において前壁、側壁及び後壁によって包囲される空間内に鏡板及び裏当材を挿通させた差込位置から前記係合部と係合する係合位置まで該ストッパキャップをスライド移動し得るように構成することが望ましい。
【００１２】
このような構成の場合に、鏡板や裏当材には特段の設計変更を要しない好適なプロテクタ及びストッパキャップの具体的構成態様としては、鏡板の前面を保護するプロテクタの前壁における側端部に前記係合部として側方へ突出する係合爪を形成するとともに、ストッパキャップの前壁における裏面に前記被係合部として係合爪と係合し得る被係合溝を形成したものが挙げられる。
【００１３】
また、ストッパキャップの取付作業の簡易化を図るためには、ストッパキャップの前壁における裏面に、ストッパキャップのスライド動作に伴って前記係合部を経過的に被係合溝まで通過させる案内溝を形成するとよい。
【００１４】
さらに、プロテクタによる鏡板の側縁の保護と、ストッパキャップの良好な取付状態を得るためには、プロテクタを、その前壁の側端部から後方へ向けて延び鏡板の側縁を保護する側壁を具備するものとして、そのプロテクタの側壁とストッパキャップの側壁とを相互に係合させてストッパキャップの外側方への傾倒を防止する傾倒防止手段を形成することが好ましい。この場合の傾倒防止手段の好適で簡易な構成としては、プロテクタの側壁に上方へ突出させて形成した突起部と、ストッパキャップの側壁の外面側に形成され前記突起部と係合し合う凹部とから構成した傾倒防止手段が挙げられる。
【００１５】
一方、固定手段の好ましい具体的構成としては、裏当材の下端部に形成したナット部と、プロテクタの下端部に前記ナット部と対応させて形成したビス挿通孔と、該ビス挿通孔に挿入して前記ナット部に着脱可能に締着し得るビスとから構成したものが挙げられる。なお、ナット部としては、ビスを挿通し得る孔とナットから構成したものや、ビスを螺着し得るタップ孔等を採用することができる。
【００１６】
そして、プロテクタを取り付けるための格別な構造を裏当材側に形成することなく、容易にプロテクタを着脱し得るようにするためには、ナット部として、鏡板の下端部をビス止めにより固定するためのものを利用し、このナット部を、鏡板及びプロテクタの裏当材に対する固定に共用するようにすればよい。これをより簡易な構成で実現するためには、裏当材の下端部に、前記ナット部を形成した水平片を形成するとともに、プロテクタの下端部に、鏡板の下方を前方から後方へ通過して裏当材の水平片と重合し且つ前記ビス挿通孔を形成した水平片を形成することが望ましい。
【００１７】
また、プロテクタを鏡板の前面に密着させて望ましい取付状態が得られるようにするには、プロテクタを、可撓性を有する合成樹脂素材により形成することが好適である。さらに、鏡板の少なくとも下端部が、その前面における中央部を側端部よりも前方へ膨出させた形状を有するものであっても、プロテクタと鏡板との密着性を向上するには、プロテクタの平面視形状を、幅方向へ略一直線状ないし中央部を側端部よりも後方へ湾曲させたものとすることが有効である。
【００１８】
【発明の実施の形態】
以下、本発明の一実施形態を、図面を参照して説明する。
【００１９】
本実施形態に係る引出１は、図１に斜視図、図２に正面図、図３に平面図、及び図４に右側面図を示したワゴンＷにおいて最下段に配置される引出として適用されたものである。すなわちこのワゴンＷは、前記引出１に加えて、最上段に配置される引出１ａ、及び中断に配置される引出１ｂと、これら引出１、１ａ、１ｂを出し入れ可能に支持する家具本体たる筐体２とを主たる構成要素として備え、引出１にプロテクタ７を選択的に取り付け得るように構成している。
【００２０】
まず、筐体２は、図１〜図４に示すように、板金材を折り曲げ加工により平面視矩形状の頂壁２１と、この頂壁２１から垂下して前端部を前方に側面視部分円弧状をなすように膨出させた側壁２２とを形成し、さらにこの頂壁２１と同形状の底壁２３と、正面視縦長の矩形状の背壁２４とを取り付けて、前面に開口を有してなるものである。側壁２２の内側には、引出し１を動かすための図示しないレールと補強板を具備する井桁、サスペンションレール、引出をスムーズに移動させるための車輪などが設けられている。また、底壁２３には、ワゴンＷを可動にするキャスタ２５を合計４個取り付けている。
【００２１】
各引出１は、図５に示すように、物品を収納する収納空間を筐体２と共に構成する収納部３と、この収納部３の前面に取り付けられる鏡板４及び裏当材ＢＵとを備えた引出本体１１を主体としてなるものである。なお、上段及び中断の引出１ａ、１ｂは、下段の引出１ｃとは、上下寸法を異にするものの、基本的には同一構成のものである。そして本実施形態においては、図１〜図４に示すように、３つの引出し１、１ａ、１ｂの側面視形状が前方へ膨出する連続した部分円弧状を描くように構成している。
【００２２】
収納部３は、板金材を素材とする底板３１とこの底板３１の各側縁からそれぞれ上方に立ち上げた側板３２と、これら側板３２及び底板３１の後端部に設けた後板（図示省略）とから構成され、引出本体１１の前板となる前記鏡板４を取り付けるための裏板５を前記底板３１及び側板３２の前端部に取り付けている。この裏板５は、鏡板４を裏面側から補強支持する裏当材ＢＵを後述する側部カバー６と共に構成する部材であり、曲げ加工により成形した前方に開口する箱状をなすものである。具体的に裏板５は、図５、図６及び図７に示すように、鉛直に起立させた正面視矩形状をなす後板５１と、この後板５１の上縁、下縁及び側縁からそれぞれ前方に延びるように一体に屈曲させた上屈曲板５２、水平片たる下屈曲板５３、及び一対の側屈曲板５４とを具備している。なお、上屈曲板５２の前端には、鏡板４と係り合う前方に延びるアングル状の係合片５２ａを設け、下屈曲板５３には、鏡板本体４の下屈曲板４３に設けたネジ孔４３ｎに対応する位置にナット部たるタップ孔５３ｎを設けている。なお、タップ孔５３ｎに換えて、それと同一箇所にビスを挿通可能な貫通孔とその貫通孔にねじ孔を一致させるように下屈曲板４３に固定した通常のナットとの構成によってナット部を形成してもよい。
【００２３】
鏡板４は、前記裏板５の前面側に取り付けられて引出１の前面板を構成するものであり、鏡板４の裏板５への取付に際しては、鏡板４と互いの遊動を禁止した状態で結合される側部カバー６が利用される。
【００２４】
具体的にこの鏡板４は、図５、図６及び図７に示すように後方に開口する箱状のものであり、プレス加工により前縁が側面視前方に膨出する部分円弧状に成形した正面視矩形状の前板４１とこの前板４１の上縁、下縁及び側縁からそれぞれ後方に延びるように屈曲させた上屈曲板４２、下屈曲板４３、及び一対の側屈曲板４４とを具備している。そして、前記前板４１の左右の長さを、裏板５の左右両側縁に側部カバー６をそれぞれ取り付けた長さに相当する長さに設定して、これら裏板５及び側部カバー６をちょうど前方から隠蔽するようにしている。そして、上屈曲板４２の後端には、鏡板４の取り付け時に上記裏板５の上屈曲板５２に設けた係合片５２ａに係り合わせるために下方へ垂下させた係合片４２ａを設けている。下屈曲板４３は、前板４１の下縁に沿って後方及び上方、さらに後方へ屈曲させた側面視クランク状をなしており、後方へ延びる先端側の水平片４３ｘに、裏板５の下屈曲板５３とを重合させた状態で固定するためのタッピングビスＴ１を通過させ得るビス挿通孔４３ｎを設けている。これらビス挿通孔４３ｎは、裏板５のタップ孔５３ｎと対応する位置に形成したものであるが、本実施形態ではこれらビス挿通孔４３ｎ及びタップ孔５３ｎを引出１の幅方向に整列させて４つずつ形成しており、内側の２つには下方から引出１を筐体２から引き出した際の前傾防止用キャスタ９を取り付けるために利用し、外側の２つには下方からプロテクタ７を共通に取り付けるようにしている。なお、前傾防止用キャスタ９は、床面に接地する車輪９１と、この車輪９１を支持する水平軸を有するカバー９２と、カバー９２を支持して引出本体１１に取り付けるための板状のステー９３とを備えており、このステー９３を、２つのビス９４を前記内側２つのビス挿通孔４３ｎに挿入したうえでタップ孔５３ｎにねじ作用により締着することによって、裏板５に固定するようにしている。
【００２５】
側部カバー６は、上述したように、裏板５と共に裏当材ＢＵを構成する部材であり、図５、図６及び図７に示すように、引出１の裏板５の外方側に位置する収納部３の左右の側板３２における前端近部傍の外側面側に配される樹脂射出成形品を利用している。この側部カバー６は、全体として裏板５の側屈曲板５４と略一致した形状及び寸法に成形されたもので、鏡板４の前板４１に対応させて前端部を湾曲させている。また、側部カバー６の前端部における外側部には、前縁からの距離が鏡板４の側屈曲板４４の奥行き寸法と略等しい部位に、前向面６１ａを前方へ露出させた鍔部６１を形成している。さらに、外側方から裏板５の側屈曲板５４及び筐体２の側壁２２と複数箇所で凹凸嵌合するとともに、複数箇所でビス止めすることによって、この側部カバー６は、筐体２の前端部において当該筐体２及び裏板５の側端部に取り付けられる。すなわち本実施形態では、上述のような側部カバー６及び裏板５の構成により裏当材ＢＵが形成されている。
【００２６】
そして、側部カバー６を裏板５及び筐体２に取り付けた状態で、まず、鏡板４の上屈曲板４２を上方から裏板５の上屈曲板５２に重合し、それらを幅方向に複数箇所でビス止めする。その状態から鏡板４の下端部側を後方へ回動し、鏡板４の左右の側屈曲板４４を側部カバー６の前端部外側方部位に外側から鍔部６１の前向面６１ａに当接する位置まで嵌め合わせるとともに側部カバー６の前面を前板４１の裏面に当接し、さらに鏡板４の下屈曲板４３を下方から裏板５の下屈曲板５３に重合したうえで、内側２箇所のビス挿通孔４３ｎ及びタップ孔５３ｎに前傾防止用キャスタ９を固定するとともに、外側２箇所のビス挿通孔４３ｎに挿入したタッピングビスＴ１を対応するタップ孔５３ｎに固定する。このようにして、鏡板４の取付作業が完了する。なお、上段及び中段の引出１ａ、１ｂにおいても、略同様にして引出本体が構成されているが、これらについてはキャスタ９を取り付ける必要はないので、鏡板と裏板の下端部同士を４箇所をタッピングビスを用いて、裏板に鏡板を取り付けるようにしている。
【００２７】
本実施形態では、この状態の引出本体１１に対して、必要に応じてユーザの選択によりプロテクタ７を取り付けることによって、鏡板４の保護を図るようにしている。なお、プロテクタ７を取り付ける場合には、鏡板４を裏板５に固定した前記タッピングビスＴ１は予め取り外しておくものとする。
【００２８】
プロテクタ７は、比較的柔軟で可撓変形可能な合成樹脂を用いた透明な一体成形品であり、図５〜図８に示すように、鏡板４の前板４１と略同一幅寸法の前壁７１と、この前壁７１の両側端部７１から後方へ突出する一対の側壁７２と、前壁７１及び両側壁７２の下端を繋ぐ底壁７３と、この底壁７３の後端部に起立させた左右一対の後壁７４とを備えている。後壁７４の上端部には、さらに後方へ屈曲させて突出する水平片７５をそれぞれ形成している。
【００２９】
前壁７１は、鏡板４の前板４１の約１／３乃至１／４程度の高さ寸法を有する正面視概略矩形状、平面視略一直線状をなしており、両側端部の上端部を外方及び上方へ開放するように矩形状に切り欠いて切欠部７６を形成している。さらに、この切欠部７６の上向面７６ａ及び外向面７６ｂには、正面視Ｌ字形をなして上方及び外側方へ向けて連続的に突出する突出壁７７を形成しており、この突出壁７７の上端部には更に外側方へ突出する係合部たる係合爪７７ａを形成している。なお、この係合爪７７ａを含めて突出壁７７は、前壁７１の裏面側に連続させてあり、前面とは若干の段差が生じるように、当該前壁７１の略半分程度の厚みにしている。また、前壁７１の前面には、デザイン上の観点から幅方向に延びる横スリット７１ａを上下複数段に亘って形成している。側壁７２は、下端を前壁７１の下端と一致させ、上端を切欠部７６の上向面７６ａと一致させ、さらに奥行き寸法を鏡板４の側屈曲板４４の奥行き寸法に略一致させた側面視概略矩形状をなすものである。そして、その上向面７２ａに、上方へ向けて突出する矩形状の突起部７８を形成している。この突起部７８は、外面を側壁７２の外面に連続させ、厚み寸法が側壁７２の約半分の横長な板状をなすものである。また、底壁７３は、奥行き寸法が側壁７２の奥行き寸法と略同一の平面視横長な矩形板状をなすものである。そして、この底壁７３の側端部からやや内寄りの位置を外側端部とする一対の後壁７４を、底壁７３の後縁に沿って幅方向中央部で所定距離離間した状態で起立させている。このように後壁７４をプロテクタ７の幅方向中央部で２つに分離させたのは、引出本体１１の前端部に取り付ける前傾防止用キャスタ９を避けるためであり、既に取り付けてある前傾防止用キャスタ９を脱着することなくプロテクタ７の着脱作業を行うことができるようにしている。また、後壁７４の上端から後方へ略水平に延びる矩形板状の水平片７５の外側端部には、鏡板４の下屈曲板４３の外側の２つのビス挿通孔４３ｎ、及び裏板５の下屈曲板５３における外側のタップ孔５３ｎと対応する位置に、それぞれビス挿通孔７５ｎを、当該水平片７５の肉厚を貫通させて形成している。
【００３０】
すなわち、このビス挿通孔７５ｎ、裏板５のナット部たる外側２つのタップ孔５３ｎ、鏡板４の外側２つのビス挿通孔４３ｎ及びこれらに挿入されるタッピングビスＴ１は、プロテクタ７を裏当材ＵＢの構成要素である裏板５に固定するための固定手段Ｘを形成するものである。そして、このプロテクタ７の裏面を鏡板４の前板４１の前面における下端部にあてがった状態で、水平片７５を鏡板４の下屈曲板４３に下方から当接させ、タッピングビスＴ１をビス挿通孔７５ｎ、４３ｎに挿入したうえでタップ孔５３ｎに締着することによって、プロテクタ７を引出本体１１に取り付けるようにしている。このとき、プロテクタ７を固定するための引出本体１１側の構成は、鏡板４の裏板５への取付時に利用する構成をそのまま共通に利用したものであるため、引出本体１１にはプロテクタ７の固定用の特別な構造を採用する必要が全くない。
【００３１】
このようにプロテクタ７を引出本体１１に固定すると、プロテクタ７の上端部は、鏡板４の前板４１における前面から前方に浮き上がった状態になる可能性がある。そこで、プロテクタ７の浮き上がりを防止して鏡板４に密着した良好な取付状態を得るために、プロテクタ７の両側端部における上端部をそれぞれストッパキャップ８によって保持する構成の保持手段Ｙを形成している。
【００３２】
このストッパキャップ８は、プロテクタ７と同様に、比較的柔軟で可撓変形可能な合成樹脂を用いた透明な一体成形品であり、図５〜図８に示すように、プロテクタ７を鏡板４の前面に密着させた状態で当該プロテクタ７、鏡板４及び裏当材ＢＵを前後に挟み持つ構造を有している。具体的にこのストッパキャップ８は、鏡板４の前面側に配置される前壁８１と、裏当材ＢＵの構成要素である側部カバー６の鍔部６１における後向面６１ｂに当接する後壁８２と、これら前壁８１と後壁８２の外側端部同士を連続させ鏡板４１の側屈曲板４３及び側部カバー６の外向面６１ｃに当接する側壁８３とを一体に備えた平面視コ字形をなす部材である。これら前壁８１、後壁８２、及び側壁８３の高さ寸法は、プロテクタ７の切欠部７６の高さに対応しており、特に前壁８１は前記切欠部７６の平面視形状に対応する矩形状であって、後壁８２の外形状も前壁８１に対応させている。
【００３３】
前壁８１の内面における上端部には、プロテクタ７の切欠部７６に形成した係合部たる係合爪７７ａに対応し、この前壁８１の厚み寸法の約半分の深さを有する被係合溝８４と、この被係合溝８４に上端を連続させ且つプロテクタ７の切り欠き部７６に形成した突出壁７７に対応するＬ字形状の案内溝８５を形成している。なお、案内溝８５の屈曲部分には、テーパ面８５ａを形成している。また、側壁８３の外面における下端部には、プロテクタ７の側壁７２に形成した突起部７８を挿入し得るように下方に開放された溝状の凹部８６を形成している。
【００３４】
そして、固定手段Ｘによって引出本体１１に固定したプロテクタ７をストッパキャップ８によって保持する際には、まず、図５に矢印で示し、また図９及び図１０に模式的に示すように、ストッパキャップ８を、プロテクタ７よりも上方位置において側方から鏡板４及び側部カバー６の鍔部６１を前後に挟むように差し込み、この差込位置Ｐから案内溝８５によって突出壁７７をガイドしつつ、係合爪７７ａが被係合溝８４と係合する係合位置Ｑまで下方へスライド移動させる。このスライド移動の過程で、係合爪７７ａは案内溝８５のテーパ面８５ａを通過するので、ストッパキャップ８のスムーズな移動が実現され、また経過的にストッパキャップ８は前壁８１及び後壁８２の間隔が若干広がるように可撓変形する。また、係合位置Ｑでは、プロテクタ７の突起部７８が外側からストッパキャップ８の凹部８６に挿入されて傾倒防止手段Ｚが形成されることになるため、プロテクタ７を保持しているストッパキャップ８が外側方へ倒れて落下することも防止される。そしてこの状態では、プロテクタ７の前壁７１は鏡板４の前板８１の下端部を保護しており、さらにプロテクタ７の側壁７２は鏡板４の側屈曲板４４を保護していることから、この引出１を筐体２から前方へ引き出した場合に椅子の脚等と衝突しても、鏡板４の損傷防止が好適に実現される。
【００３５】
また、本実施形態では、プロテクタ７の使用又は不使用をユーザが任意に選択できるので、プロテクタ７が必要でない場合には、ストッパキャップ８及びプロテクタ７をそれらの取り付け手順とは逆の手順で簡単に取り外しておけばよい。特にプロテクタ７を取り外した場合でも、鏡板４には従来のようなフック孔を前方に開口させていないため、外観が悪くなることがなく、さらに鏡板４への格別な加工を施す必要もない。また、プロテクタ７の取り付けのためだけに鏡板４や裏当材ＢＵに特殊な加工を施さず、鏡板４を裏当材ＢＵに取り付けるための構成を有効に利用していることから、製造工数やコストの増大を招くこともない。このように、プロテクタ７を取り付けたり取り外したりしたとしても、プロテクタ７とストッパキャップ８とは共に透明な樹脂素材からなるものであるためそれらが目立ちにくく、外観に大きな変化が生じることもない。
【００３６】
なお、上述した実施形態におけるプロテクタ７の前壁７１の形状を上述した平面視一直線状のものであるが、プロテクタと湾曲した鏡板４の前板４１の前面との密着性をさらに向上するために、前壁７１の前方へ膨出する湾曲形状とは逆に、図１１に装着状態を実線で示し、装着状態を想像線で示すような、中央部を後方へ突出させるように湾曲させたプロテクタ１７０を利用することもできる。このプロテクタ１７０は、前壁１７１の湾曲形状以外については上記実施形態のプロテクタ７と同一であるため、他の各部については前記実施形態と同一の符号を附して示す。この場合、上記実施形態と同様にプロテクタ１７０の下端部を固定手段Ｘにより引出本体１１に固定すると、前壁１７１における幅方向中央部が鏡板４の前板４１の前面における幅方向中央部と容易に当接する。さらに、その状態からプロテクタ１７０の両側端部を鏡板４の前板４１側すなわち後方へ湾曲させ、ストッパキャップ８を用いた保持手段Ｙによって前壁４１の上端部を引出本体１１に保持させると、可撓性を有する前壁４１の側端部が後方へ撓んで前壁４１の前面における側端部に当接して鏡板４からの浮き上がりが防止されることになる。このため、プロテクタ１７０の鏡板４への密着性が極めて良好となる。
【００３７】
また、本発明は、上述した実施形態やその変形例に限らず、各部の構成や素材を本発明の趣旨を逸脱しない範囲で種々変更できるものであり、ワゴンのみならずデスクの袖机の引出等の床面から近い距離に配置される各種家具の引出に適用して有用性を発揮するものである。
【００３８】
【発明の効果】
本発明は、以上に詳述したように、引出の鏡板の損傷を保護するためのプロテクタを取り付けるに際して、プロテクタの下端部を固定手段によって鏡板を裏側から支持する裏当材に固定し、さらにプロテクタの上端部を保持手段によって鏡板の前面に当接させた状態で保持する構成を採用している。このため、従来の引出のように、鏡板にフック孔を開口する必要がなく、プロテクタを使用しない場合でも鏡板の外観が低下を防止し、フック孔を形成する手間やコストを有効に低減することが可能である。したがって、ユーザがプロテクタを必要とする場合は、プロテクタを取り付けることによって鏡板の前面の保護を好適に実現できる一方、プロテクタを透明樹脂製の部材とした場合や、ユーザがプロテクタを必要としない場合は、プロテクタを取り付けなくてもフック穴が前面に開口しない良好な外観の鏡板を表出させることができることとなり、プロテクタの装着又は非装着の選択をユーザの必要性又は好みで気軽に行うことができる。
【図面の簡単な説明】
【図１】本発明の一実施形態に係る引出を適用したワゴンを示す斜視図。
【図２】同ワゴンを示す正面図。
【図３】同ワゴンを示す平面図。
【図４】同ワゴンを示す右側面図。
【図５】同実施形態に係る引出を示す分解斜視図。
【図６】同実施形態におけるプロテクタを取り付けた引出を示す斜視図。
【図７】図２におけるａ−ａ線概略断面図。
【図８】同実施形態におけるプロテクタ及びストッパキャップを示す拡大斜視図。
【図９】同実施形態におけるプロテクタ及びストッパキャップの装着状態を模式的に示す縦断面図。
【図１０】同同実施形態におけるプロテクタ及びストッパキャップの装着状態を模式的に示す横断面図。
【図１１】同実施形態に適用されるプロテクタの変形例を示す部分的な平面図。
【符号の説明】
１…引出
２…家具本体（筐体）
３…収納部
４…鏡板
７、１７０…プロテクタ
８…ストッパキャップ
１１…引出本体
５３…水平片（下屈曲板）
５３ｎ…ナット部（タップ孔）
７１…前壁
７５…水平片
７５ｎ…ビス挿通孔
７７ａ…係合部（係合爪）
７８…突起部
８１…前壁
８２…後壁
８３…側壁
８４…被係合部（被係合溝）
８５…案内溝
８６…凹部
ＢＵ…裏当材
Ｔ１…ビス（タッピングビス）
Ｘ…固定手段
Ｙ…保持手段
Ｚ…傾倒防止手段
【図１】
2004121507.tif 000003
【図２】
2004121507.tif 000004
【図３】
2004121507.tif 000005
【図４】
2004121507.tif 000006
【図５】
2004121507.tif 000007
【図６】
2004121507.tif 000008
【図７】
2004121507.tif 000009
【図８】
2004121507.tif 000010
【図９】
2004121507.tif 000011
【図１０】
2004121507.tif 000012
【図１１】
2004121507.tif 000013